【手続補正書】
【提出日】平成16年3月15日(2004.3.15)
【手続補正１】
【補正対象書類名】明細書
【補正対象項目名】特許請求の範囲
【補正方法】変更
【補正の内容】
【特許請求の範囲】
【請求項１】
圧電素子若しくは焦電素子と、電界効果型トランジスタとリーク抵抗器からなる前記素子からの空気圧変化に対応した信号を取り出すインピーダンス変換回路とでその主要部を構成する空気圧変化検出器と、該検出器からの出力信号を増幅する増幅機能とフィルタ機能を有するバンドパスフィルタと、増幅された出力信号から空気圧変化の有無を検出する比較器とをそれぞれ基板上に備え、直接若しくは素子基板を介して前記素子を前記インピーダンス変換回路とともに前記基板上に実装した空気圧変化検出モジュールにおいて、側面に通気孔を設けかつ前記基板に冠着させた電磁シールド蓋材を、少なくとも前記素子と前記インピーダンス変換回路及び前記バンドパスフィルタについて前記電磁シールド蓋材により電磁シールドしたことのみで耐電磁性改善及び前記電磁シールド高さ低減効果を有することを特徴とした空気圧変化検出モジュール。
【請求項２】
空気圧変化検出器と、この検出器からの出力信号を増幅する増幅機能とフィルタ機能を有するバンドパスフィルタと、増幅された出力信号から空気圧変化の有無を検出する比較器とを基板上に備え、かつ、前記空気圧変化検出器が圧電素子若しくは焦電素子と、電界効果型トランジスタとリーク抵抗器から成り前記素子からの空気圧変化に対応した信号を取り出すインピーダンス変換回路とでその主要部を構成する空気圧変化検出モジュールにおいて、前記バンドパスフィルタと前記比較器が実装される前記基板上に、直接若しくは素子基板を介し前記素子と前記インピーダンス変換回路を実装すると共に側面に通気孔が設けられかつ前記基板に冠着される電磁シールド蓋材を、少なくとも前記素子と前記インピーダンス変換回路及び前記バンドパスフィルタについて前記電磁シールド蓋材により電磁シールドしたことことのみで耐電磁性改善及び前記電磁シールド高さ低減効果を有することを特徴とした空気圧変化検出モジュール。
【請求項３】
前記基板上に実装した前記比較器についても前記電磁シールド蓋材により電磁シールドされていることを特徴とする請求項１または２記載の空気圧変化検出モジュール。
【請求項４】
前記基板の背面側にも電磁シールド背面側蓋材が冠着されていることを特徴とする請求項１及び３のいずれか記載の空気圧変化検出モジュール。
【手続補正２】
【補正対象書類名】明細書
【補正対象項目名】００２０
【補正方法】変更
【補正の内容】
【００２０】
本発明は、圧電素子若しくは焦電素子と、電界効果型トランジスタとリーク抵抗器からなる前記素子からの空気圧変化に対応した信号を取り出すインピーダンス変換回路とでその主要部を構成する空気圧変化検出器と、該検出器からの出力信号を増幅する増幅機能とフィルタ機能を有するバンドパスフィルタと、増幅された出力信号から空気圧変化の有無を検出する比較器とをそれぞれ基板上に備え、直接若しくは素子基板を介して前記素子を前記インピーダンス変換回路とともに前記基板上に実装した空気圧変化検出モジュールにおいて、側面に通気孔を設けかつ前記基板に冠着させた電磁シールド蓋材を、少なくとも前記素子と前記インピーダンス変換回路及び前記バンドパスフィルタについて前記電磁シールド蓋材により電磁シールドしたことのみで耐電磁性改善及び前記電磁シールド高さ低減効果を有することを特徴とした空気圧変化検出モジュールにより提供される。


【手続補正３】
【補正対象書類名】明細書
【補正対象項目名】００２１
【補正方法】変更
【補正の内容】
【００２１】
また、空気圧変化検出器と、この検出器からの出力信号を増幅する増幅機能とフィルタ機能を有するバンドパスフィルタと、増幅された出力信号から空気圧変化の有無を検出する比較器とを基板上に備え、かつ、前記空気圧変化検出器が圧電素子若しくは焦電素子と、電界効果型トランジスタとリーク抵抗器から成り前記素子からの空気圧変化に対応した信号を取り出すインピーダンス変換回路とでその主要部を構成する空気圧変化検出モジュールにおいて、前記バンドパスフィルタと前記比較器が実装される前記基板上に、直接若しくは素子基板を介し前記素子と前記インピーダンス変換回路を実装すると共に側面に通気孔が設けられかつ前記基板に冠着される電磁シールド蓋材を、少なくとも前記素子と前記インピーダンス変換回路及び前記バンドパスフィルタについて前記電磁シールド蓋材により電磁シールドしたことことのみで耐電磁性改善及び前記電磁シールド高さ低減効果を有することを特徴とした空気圧変化検出モジュールにより効果的に提供される。


【手続補正４】
【補正対象書類名】明細書
【補正対象項目名】００２２
【補正方法】変更
【補正の内容】
【００２２】
さらに、前記基板上に実装した前記比較器についても前記電磁シールド蓋材により電磁シールドされていることを特徴とする前記記載の空気圧変化検出モジュールにより効果的に提供される。


【手続補正５】
【補正対象書類名】明細書
【補正対象項目名】００２３
【補正方法】変更
【補正の内容】
【００２３】
さらにまた、前記基板の背面側にも電磁シールド背面側蓋材が冠着されていることを特徴とする前記のいずれか記載の空気圧変化検出モジュールにより効果的に提供される。


【手続補正６】
【補正対象書類名】明細書
【補正対象項目名】００２４
【補正方法】変更
【補正の内容】
【００２４】
そして、本発明の請求項１ないし２記載の空気圧変化検出モジュールによれば、少なくとも圧電素子若しくは焦電素子、インピーダンス変換回路及びバンドパスフィルタについて電磁シールド蓋材により電磁シールドしたことのみで耐電磁性改善及び前記電磁シールド高さ低減効果を発揮できる。すなわち、従来必須の構成部材とされた空気圧変化検出器の容器を省略することができるため部品点数の低減と組み立て工数の低減が図れ、前記容器が適用されないことから電磁シールド蓋材の高さ寸法を低減でき空気圧変化検出モジュールの小型化、耐電磁性改善も図ることが可能となる。
また、請求項３記載の空気圧変化検出モジュールによれば、基板上に実装された圧電素子若しくは焦電素子とインピーダンス変換回路及びバンドパスフィルタに加えて比較器についても電磁シールドしているため空気圧変化検出モジュールの耐電磁ノイズ特性がより向上し、電磁ノイズに起因した空気圧変化検出モジュールの誤動作をより十分に防止することが可能となる。
更に、請求項４記載の空気圧変化検出モジュールによれば、基板の背面側にも電磁シールド背面側蓋材が冠着されているため空気圧変化検出モジュールの耐電磁ノイズ特性が更に向上し、電磁ノイズに起因した空気圧変化検出モジュールの誤動作をより完全に防止することが可能となる。


【手続補正７】
【補正対象書類名】明細書
【補正対象項目名】００５４
【補正方法】変更
【補正の内容】
【００５４】
【発明の効果】
少なくとも圧電素子若しくは焦電素子、インピーダンス変換回路及びバンドパスフィルタについて電磁シールド蓋材により電磁シールドしたことのみで耐電磁性改善及び前記電磁シールド高さ低減効果を発揮できる。すなわち、従来必須の構成部材とされた空気圧変化検出器の容器を省略することができるため部品点数の低減と組み立て工数の低減が図れ、前記容器が適用されないことから電磁シールド蓋材の高さ寸法を低減でき空気圧変化検出モジュールの小型化、耐電磁性改善も図ることが可能となる。


【手続補正８】
【補正対象書類名】明細書
【補正対象項目名】００５５
【補正方法】変更
【補正の内容】
【００５５】
また、請求項３記載の空気圧変化検出モジュールによれば、基板上に実装された圧電素子若しくは焦電素子とインピーダンス変換回路及びバンドパスフィルタに加えて比較器についても電磁シールドしているため空気圧変化検出モジュールの耐電磁ノイズ特性がより向上し、電磁ノイズに起因した空気圧変化検出モジュールの誤動作をより十分に防止することが可能となる。


【手続補正９】
【補正対象書類名】明細書
【補正対象項目名】００５６
【補正方法】変更
【補正の内容】
【００５６】
更に、請求項４記載の空気圧変化検出モジュールによれば、基板の背面側にも電磁シールド背面側蓋材が冠着されているため空気圧変化検出モジュールの耐電磁ノイズ特性が更に向上し、電磁ノイズに起因した空気圧変化検出モジュールの誤動作をより完全に防止することが可能となる。